(57)【要約】【課題】間取りの制約を緩和しつつ、階間空間での水漏れを防止することができる建物の排水構造を提供する。【解決手段】建物１０は、一階部分１４及び二階部分１５を有し、一階部分１４の天井面材２７と二階部分１５の床面材２８との間には階間空間３８が形成されている。二階部分１５の天井面材２７の上方空間である屋根裏空間３６には空調装置４０が設置されている。空調装置４０には、同装置４０の冷房運転時に発生する結露水を屋外へ排出するためのドレン４１が接続されている。ドレン管４１は、屋根裏空間３６から二階空間部３３、階間空間３８、一階空間部３１を経由して下方に延びている。ドレン管４１の外側には、当該ドレン管４１を収容する収容管４２が設けられている。収容管４２は、ドレン管４１のうち少なくとも階間空間３８に配設された部分を内側に収容している。【選択図】      図１
2014237927.tif 000002
【特許請求の範囲】
【請求項１】
上下に隣接して設けられた下階部及び上階部を有し、前記下階部の天井面材と前記上階部の床面材との間に階間空間が形成された建物に適用され、
前記上階部から前記下階部へと前記階間空間を通じて下方に延びる排水管が設けられた建物の排水構造であって、
前記排水管は、前記階間空間において横引きされており、
前記排水管のうち少なくとも前記階間空間に設けられた階間管部を内側に収容する収容管を備えることを特徴とする建物の排水構造。
【請求項２】
前記上階部における前記床面材の上方空間には、前記排水管を配設するための上階配設スペースが設けられており、
前記下階部における前記天井面材の下方空間には、前記排水管を配設するための下階配設スペースが設けられており、
前記上階配設スペースと前記下階配設スペースとはそれぞれ上下方向に延びる縦長のスペースとされており、平面視において互いに異なる位置に配置されており、
前記収容管は、前記上階配設スペースと前記下階配設スペースとに跨がって延びていることを特徴とする請求項１に記載の建物の排水構造。
【請求項３】
前記排水管は、前記上階部における前記床面材の上方空間に設けられた上階管部と、前記下階部における前記天井面材の下方空間に設けられた下階管部とを有しており、
前記収容管は、前記階間管部、前記上階管部及び前記下階管部に跨って延びており、それら各管部をそれぞれ内側に収容していることを特徴とする請求項１又は２に記載の建物の排水構造。
【請求項４】
前記排水管は、少なくとも前記収容管に収容された部分が可撓性を有するフレキシブルチューブにより形成されていることを特徴とする請求項１乃至３のいずれか一項に記載の建物の排水構造。
【請求項５】
前記上階部の天井面材の上方空間である屋根裏空間には冷房装置が設置されており、
前記冷房装置には、その運転時に発生する結露水を屋外へ排出するためのドレン管が前記排水管として接続されており、
前記ドレン管は、その長さ方向全域が前記フレキシブルチューブにより形成され、前記屋根裏空間から前記階間空間を経由して下方に延びているとともに屋外へと通じており、
前記収容管は、前記ドレン管に沿って前記屋根裏空間から当該ドレン管の下流側端部又はその付近まで延びるように設けられていることを特徴とする請求項４に記載の建物の排水構造。
【請求項６】
前記収容管は、前記階間管部のうち横引きされた横引き部分を収容する横引き管部を有しており、
前記下階部の前記天井面材上には、前記横引き管部を支持する支持部材が当該管部に沿って複数箇所に設けられており、
前記各支持部材は、前記横引き管部を所定の勾配を有した状態で支持すべく、その支持高さが互いに異なる高さに設定されており、
前記横引き部分は、その上流側を勾配上側、その下流側を勾配下側として、前記横引き管部に収容されていることを特徴とする請求項１乃至５のいずれか一項に記載の建物の排水構造。
【請求項７】
梁及び柱を有してなる複数の建物ユニットが互いに結合されてなり、前記建物ユニットとして前記上階部には上階ユニットが設けられ、前記下階部には下階ユニットが設けられたユニット式の建物に適用され、
前記下階ユニットの天井部には、前記天井面材をその上方から支持する複数の天井小梁が横並びで設けられており、
前記各支持部材はそれぞれ前記天井小梁上に設けられているとともに、前記天井小梁に対して所定の向きで取り付けられる取付部と、前記横引き管部を挿通させる挿通部とを有しており、
前記挿通部は、前記取付部に対して水平方向に回動可能とされていることを特徴とする請求項６に記載の建物の排水構造。
【発明の詳細な説明】
【技術分野】
【０００１】
本発明は、建物の排水構造に関する。
【背景技術】
【０００２】
住宅等の建物では、共通の空調装置を用いて複数の部屋の空調（冷暖房）を行う全館空調システムが導入されている場合がある（例えば特許文献１参照）。二階建ての建物にかかる空調システムが導入される場合、空調装置は、例えば二階部分の天井裏（換言すると屋根裏空間）に設置される。
【０００３】
空調装置には、その冷房運転の際に結露が発生するため、通常、空調装置にはその発生した結露水を屋外へ排出するためのドレン管が接続されている。ここで、空調装置が二階部分の屋根裏空間に設置される上述の構成では、ドレン管が、例えば屋根裏空間から二階部分（二階空間部）及び一階部分（一階空間部）を経由して床下空間まで下方に延びるように設けられ、さらに同床下空間において屋外まで横向きに延びるように設けられることが考えられる。
【先行技術文献】
【特許文献】
【０００４】
【特許文献１】特開平１０−２６７３２０号公報
【発明の概要】
【発明が解決しようとする課題】
【０００５】
ここで、上述したように、二階部分（二階空間部）から一階部分（一階空間部）へと下方に延びるようにドレン管を配設する場合、一階部分又は二階部分の間取りの関係で、平面視におけるドレン管の配設位置を一階部分と二階部分とで異ならせたい場合があると考えられる。その場合、一階部分と二階部分との間の階間部分において、詳しくは一階部分の天井面材と二階部分の床面材との間の階間空間においてドレン管を横引きする必要が生じうる。
【０００６】
しかしながら、ドレン管の横引き部分は、縦引き部分と比べて、管に破損が生じる等した場合に水漏れが起こりやすい。しかも、階間空間はいわゆる隠蔽空間であるため、階間空間にてドレン管から水漏れが生じても、その確認をするのが困難である。そのため、ドレン管を階間空間にて横引きする場合には、天井下（一階空間部）への水漏れが生じることが懸念される。
【０００７】
その一方で、ドレン管を階間空間で横引きするのをやめれば、上述の水漏れの問題は解消されるものの、そうするとドレン管の配設位置を一階部分と二階部分とで同位置に設定せざるをえなくなり、一階部分及び二階部分の間取りに制約が生じるおそれがある。
【０００８】
本発明は、上記事情に鑑みてなされたものであり、間取りの制約を緩和しつつ、階間空間での水漏れを防止することができる建物の排水構造を提供することを主たる目的とするものである。
【課題を解決するための手段】
【０００９】
上記課題を解決すべく、第１の発明の建物の排水構造は、上下に隣接して設けられた下階部及び上階部を有し、前記下階部の天井面材と前記上階部の床面材との間に階間空間が形成された建物に適用され、前記上階部から前記下階部へと前記階間空間を通じて下方に延びる排水管が設けられた建物の排水構造であって、前記排水管は、前記階間空間において横引きされており、前記排水管のうち少なくとも前記階間空間に設けられた階間管部を内側に収容する収容管を備えることを特徴とする。
【００１０】
本発明によれば、排水管が階間空間において横引きされているため、排水管において上階部に配設される部分と、下階部に配設される部分とをそれぞれ平面視で異なる位置に配置することができる。これにより、上階部及び下階部における排水管の配置に関し自由度を確保することができ、上階部及び下階部での間取りの制約を緩和することができる。また、排水管のうち階間空間に設けられた階間管部については収容管に収容されているため、階間空間では、排水管と収容管との二重管構造が構築されている。このため、仮に階間管部に破損が生じる等して階間管部から水漏れが生じたとしても、その漏れた水を外側の収容管で受け止めることができ、階間空間での水漏れを防止することができる。よって、この場合、間取りの制約を緩和しつつ、階間空間での水漏れを防止することができる。
【００１１】
第２の発明の建物の排水構造は、第１の発明において、前記上階部における前記床面材の上方空間には、前記排水管を配設するための上階配設スペースが設けられており、前記下階部における前記天井面材の下方空間には、前記排水管を配設するための下階配設スペースが設けられており、前記上階配設スペースと前記下階配設スペースとはそれぞれ上下方向に延びる縦長のスペースとされており、平面視において互いに異なる位置に配置されており、前記収容管は、前記上階配設スペースと前記下階配設スペースとに跨がって延びていることを特徴とする。
【００１２】
本発明によれば、上階部における床面材の上方空間と、下階部における天井面材の下方空間とにそれぞれ排水管を配設するための配設スペースが設けられており、それら各配設スペースが平面視において互いに異なる位置に配置されている。この場合、上階配設スペースと下階配設スペースとの配置に関し自由度を確保することができ、上階部及び下階部での間取りの制約を緩和することができる。また、収容管がこれら各配設スペースに跨がって延びているため、排水管において階間空間に配設されている部分の全域を収容管に収容することができる。そのため、階間空間での水漏れをより確実に防止することができる。
【００１３】
第３の発明の建物の排水構造は、第１又は第２の発明において、前記排水管は、前記上階部における前記床面材の上方空間に設けられた上階管部と、前記下階部における前記天井面材の下方空間に設けられた下階管部とを有しており、前記収容管は、前記階間管部、前記上階管部及び前記下階管部に跨って延びており、それら各管部をそれぞれ内側に収容していることを特徴とする。
【００１４】
本発明によれば、排水管において上階管部及び下階管部についても収容管に収容されているため、上階管部又は下階管部で破損等が生じ水漏れが発生した場合にも、その漏れた水を収容管にて受け止めることができる。これにより、階間空間のみならず、上階部における床上空間、及び下階部における天井下空間での水漏れも防止することができる。
【００１５】
第４の発明の建物の排水構造は、第１乃至第３のいずれかの発明において、前記排水管は、少なくとも前記収容管に収容された部分が可撓性を有するフレキシブルチューブにより形成されていることを特徴とする。
【００１６】
本発明によれば、排水管において少なくとも収容管に収容された部分がフレキシブルチューブにより形成されているため、収容管から排水管（被収容部分）を引き抜いて排水管のメンテナンスや点検をすることが可能となる。これにより、排水管のメンテナンス作業を容易に行うことが可能となる。
【００１７】
第５の発明の建物の排水構造は、第４の発明において、前記上階部の天井面材の上方空間である屋根裏空間には冷房装置が設置されており、前記冷房装置には、その運転時に発生する結露水を屋外へ排出するためのドレン管が前記排水管として接続されており、前記ドレン管は、その長さ方向全域が前記フレキシブルチューブにより形成され、前記屋根裏空間から前記階間空間を経由して下方に延びているとともに屋外へと通じており、前記収容管は、前記ドレン管に沿って前記屋根裏空間から当該ドレン管の下流側端部又はその付近まで延びるように設けられていることを特徴とする。
【００１８】
住宅等の建物においては、屋根裏空間に冷房装置が設置されることがある。その場合、冷房装置の運転時に発生する結露水を排出するためのドレン管が屋根裏空間から階間空間を経由して下方に延びるように設けられる場合がある。そこで本発明では、かかる構成において、収容管をドレン管に沿って屋根裏空間から当該ドレン管の下流側端部又はその付近まで延在させている。この場合、屋根裏空間からドレン管を収容管の上端開口を通じて当該収容管へ出し入れすることが可能となり、冷房装置が屋根裏空間に設置される構成にあって、ドレン管のメンテナンス作業を好適に行うことが可能となる。
【００１９】
また、収容管が上記のように延在されていることで、上記第３の発明と同様の効果、すなわち階間空間のみならず、上階部における床上空間、及び下階部における天井下空間での水漏れを防止するという効果を得ることもできる。
【００２０】
第６の発明の建物の排水構造は、第１乃至第５のいずれかの発明において、前記収容管は、前記階間管部のうち横引きされた横引き部分を収容する横引き管部を有しており、前記下階部の前記天井面材上には、前記横引き管部を支持する支持部材が当該管部に沿って複数箇所に設けられており、前記各支持部材は、前記横引き管部を所定の勾配を有した状態で支持すべく、その支持高さが互いに異なる高さに設定されており、前記横引き部分は、その上流側を勾配上側、その下流側を勾配下側として、前記横引き管部に収容されていることを特徴とする。
【００２１】
本発明によれば、収容管の横引き管部が所定の勾配を有した状態で支持部材により支持されているため、その内部に収容される排水管の横引き部分についても所定の勾配を有した状態で配設することができる。これにより、排水管を流れる水が横引き部分において滞留してしまうのを抑制することができ、その結果滞留に伴う横引き部分からの水漏れの可能性を低減させることができる。
【００２２】
第７の発明の建物の排水構造は、第６の発明において、梁及び柱を有してなる複数の建物ユニットが互いに結合されてなり、前記建物ユニットとして前記上階部には上階ユニットが設けられ、前記下階部には下階ユニットが設けられたユニット式の建物に適用され、前記下階ユニットの天井部には、前記天井面材をその上方から支持する複数の天井小梁が横並びで設けられており、前記各支持部材はそれぞれ前記天井小梁上に設けられているとともに、前記天井小梁に対して所定の向きで取り付けられる取付部と、前記横引き管部を挿通させる挿通部とを有しており、前記挿通部は、前記取付部に対して水平方向に回動可能とされていることを特徴とする。
【００２３】
本発明によれば、各支持部材が下階ユニットの天井小梁上に取付部にて所定の向きで取り付けられており、それら各支持部材の挿通部に横引き管部がそれぞれ挿通されている。この場合、製造工場にて予め支持部材を天井小梁に取り付けておけば、施工現場では横引き管部を挿通部に挿通するといった簡易な作業をするだけで横引き管部を下階ユニット上に取り付けることができる。そのため、施工現場にて収容管を配設する上で工数低減が図れる。
【００２４】
また、挿通部は取付部に対して水平方向に回動可能とされているため、下階ユニット上における横引き管部の配設向きに応じて挿通部の向きを調整することができる。これにより、横引き管部の配設向きにかかわらず、横引き管部を挿通部に挿通支持させることができるため、横引き管部を支持部材により支持する構成にあって実用上好ましい構成といえる。
【図面の簡単な説明】
【００２５】
【図１】結露水の排水構造を示す概要図。
【図２】配設スペース形成部を示す斜視図。
【図３】（ａ）が下階ユニット上における収容管の支持構造を示す平面図であり、（ｂ）が同支持構造を示す縦断面図である。
【図４】支持部材が天井小梁に取り付けられた状態を示す縦断面図。
【図５】ユニット式建物の概要を示す斜視図。
【図６】建物ユニットの斜視図。
【図７】（ａ）が二階部分の間取りを示す間取り図であり、（ｂ）が一階部分の間取りを示す間取り図である。
【発明を実施するための形態】
【００２６】
以下に、本発明を具体化した一実施の形態について図面を参照しつつ説明する。なお、図５は、ユニット式建物の概要を示す斜視図である。
【００２７】
図５に示すように、建物１０は、基礎１１上に設けられた建物本体１２と、その上方に設けられた屋根部１３とを備える。建物本体１２は、下階部としての一階部分１４と、上階部としての二階部分１５とを有する二階建てであり、複数の建物ユニット２０が互いに連結されることにより構成されている。建物ユニット２０は製造工場においてあらかじめ製造され、その後施工現場にトラック等により運搬されるものとなっている。なお、以下においては便宜上、場合によって一階部分１４の建物ユニット２０を下階ユニット２０ａ、二階部分１５の建物ユニット２０を上階ユニット２０ｂという。
【００２８】
図６には建物ユニット２０の斜視図を示す。図６に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００２９】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００３０】
本建物１０には、いわゆる全館空調システムが導入されている。全館空調システムでは、共通の空調装置より通気ダクト（図示略）を通じて空調空気（冷房空気又は暖房空気）を各部屋へ供給することでそれら各部屋の冷暖房を行うようにしている。ここで、夏場等に本空調システムを用いて建物内の冷房を行う際には空調装置に結露が発生する。そのため、その発生した結露水をドレン管を通じて屋外へ排出する必要がある。本実施形態では、この結露水を屋外へ排出するための排水構造に特徴を有しており、以下かかる排水構造について図１に基づいて説明する。なお、図１は結露水の排水構造を示す概要図である。
【００３１】
図１に示すように、建物１０の一階部分１４には、下階空間部としての一階空間部３１，３２が設けられており、二階部分１５には、上階空間部としての二階空間部３３，３４が設けられている。これら各空間部３１〜３４はそれぞれ建物ユニット２０ごとに形成されたユニット内空間となっている。なお、一階空間部３１，３２が、「下階部における天井面材の下方空間」に相当し、二階空間部３３，３４が、「上階部における床面材の上方空間」に相当する。
【００３２】
一階空間部３１，３２は、同空間部３１，３２の床面材２８によって床下空間３５と仕切られており、二階空間部３３，３４は、同空間部３３，３４の天井面材２７によって屋根裏空間３６（換言すると小屋裏空間）と仕切られている。なお、床下空間３５は、基礎１１によって囲まれた内側空間となっている。
【００３３】
一階空間部３１，３２と二階空間部３３，３４とは階間部分１６によって仕切られている。階間部分１６は、一階空間部３１，３２の天井面材２７及び二階空間部３３，３４の床面材２８、それら各面材２７，２８の間にある各種部材によって構成されており、天井面材２７及び床面材２８の間のスペースが階間空間３８となっている。
【００３４】
屋根裏空間３６には、空調装置４０が設置されている。空調装置４０は、冷房機能及び暖房機能を有する室内機として構成されており、上階ユニット２０ｂの天井面材２７上に設置されている。なお、空調装置４０は冷房機能のみを有するものであってもよい。
【００３５】
空調装置４０には、同装置４０で発生した結露水を屋外へ排出するためのドレン管４１が接続されている。ドレン管４１は、可撓性を有する合成樹脂製又は金属製のフレキシブルチューブにより構成されている。ドレン管４１は、屋根裏空間３６から二階空間部３３、階間空間３８及び一階空間部３１を経由して床下空間３５へと下方に延びており、さらに床下空間３５において横向きに屋外まで延びている。なお、ドレン管４１が排水管に相当する。
【００３６】
ドレン管４１の外側には、当該ドレン管４１を収容する収容管４２が設けられている。収容管４２は、直線状をなす複数の管部４３〜４６がエルボ４７〜４９を介して互いに接続されることにより構成されている。収容管４２は、二階空間部３３において上下方向（鉛直方向）に延びるように設けられた（換言すると縦引きされた）二階立て管部４３と、階間空間３８において横方向に延びるように設けられた（換言すると横引きされた）階間横引き管部４４と、一階空間部３１において上下方向（鉛直方向）に延びるように設けられた一階立て管部４５と、床下空間３５において横方向に延びるように設けられた床下横引き管部４６とを有している。これら各管部４３〜４６はいずれも合成樹脂により形成されており、例えば塩化ビニル樹脂により形成されている。但し、各管部４３〜４６は、塩化ビニル樹脂以外の樹脂材料で形成されてもよいし、金属材料等、樹脂材料以外の材料で形成されてもよい。
【００３７】
二階立て管部４３は、二階空間部３３において天井面材２７から床面材２８付近に亘って上下に延びている。二階立て管部４３は、その上端部が天井面材２７に形成された貫通孔５１に挿通されている。これにより、二階立て管部４３の上端開口つまりは収容管４２の上端開口（上流側開口）が屋根裏空間３６にて開口されている。
【００３８】
二階立て管部４３の下端部は、エルボ４７を介して階間横引き管部４４の一端部と接続されている。階間横引き管部４４は、一端部側（二階立て管部４３側）から他端部側（一階立て管部４５側）に向かって若干下方傾斜しており、本実施形態ではその勾配（傾斜角度）が１／１００以上に設定されている。なお、この階間横引き管部４４が横引き管部に相当する。
【００３９】
エルボ４７は、Ｌ字状に形成された配管継ぎ手である（エルボ４８，４９も同様）。エルボ４７は、概ね階間空間３８に配置されており、その上端側が下階ユニット２０ａの床面材２８に形成された貫通孔５２に挿通されている。そのため、エルボ４７と二階立て管部４３との接続部分は二階空間部３３に位置している。
【００４０】
階間横引き管部４４の他端部は、エルボ４８を介して一階立て管部４５の上端部と接続されている。一階立て管部４５は、一階空間部３１において天井面材２７付近から床面材２８に亘って上下に延びている。エルボ４８は、概ね階間空間３８に配置されており、その下端側が下階ユニット２０ａの天井面材２７に形成された貫通孔５３に挿通されている。このため、エルボ４８と一階立て管部４５との接続部分は一階空間部３１に位置している。
【００４１】
一階立て管部４５の下端部は、エルボ４９を介して床下横引き管部４６の一端部と接続されている。一階立て管部４５の下端部は、下階ユニット２０ａの床面材２８に形成された貫通孔５４に挿通されており、そのため一階立て管部４５とエルボ４９との接続部分は床下空間３５に位置している。
【００４２】
床下横引き管部４６は、その他端部が基礎１１に至るまで延びている。基礎１１（詳しくはその立ち上がり部）には、床下空間３５と屋外とを連通する貫通孔５５が形成されており、その貫通孔５５に床下横引き管部４６の他端部が挿し入れられている。これにより、床下横引き管部４６の他端開口ひいては収容管４２の下端開口が屋外に向けて開口されている。また、床下横引き管部４６は、その一端部側（エルボ４９との接続側）から他端部側（屋外側）に向かって若干下方傾斜した状態で設けられており、本実施形態ではその勾配（傾斜角度）が１／１００以上に設定されている。
【００４３】
上記のように、収容管４２は、屋根裏空間３６から二階空間部３３、階間空間３８、一階空間部３１及び床下空間３５を経由して屋外（近傍）まで延びている。そして、その収容管４２の内部にドレン管４１が挿通された状態で収容されている。したがって、本排水構造では、ドレン管４１と収容管４２との二重管構造が構築されている。また、ドレン管４１は、かかる収容状態において、その下流側端部が収容管４２の屋外側端部とほぼ同位置に位置しており、詳しくは収容管４２の屋外側端部よりも若干屋外側に位置している。
【００４４】
なお、ドレン管４１において階間空間３８に配設されている部分が階間管部に相当する。また、収容管４２において二階空間部３３に配設されている部分（主に二階立て管部４３）が上階管部に相当し、一階空間部３１に配設されている部分（主に一階立て管部４５）が下階管部に相当する。
【００４５】
一階空間部３１と二階空間部３３とにはそれぞれ収容管４２を配設する配設スペースＳＰ１，ＳＰ２が形成されている。これらの配設スペースＳＰ１，ＳＰ２は、上下方向に延びる縦長のスペースとされており、各々の空間部３１，３２においてそれぞれ床面材２８から天井面材２７に亘って上下に延びている。なお、配設スペースＳＰ１が下階配設スペースに相当し、配設スペースＳＰ２が上階配設スペースに相当する。
【００４６】
各配設スペースＳＰ１，ＳＰ２はそれぞれ、上下方向に延びる筒状（四角筒状）の配設スペース形成部５６によって区画形成されている。図２には、一階空間部３１における配設スペース形成部５６の斜視図を示す。同図２に示すように、配設スペース形成部５６は、収容管４２の外径に対応した内寸（幅寸法）を有して形成されており、その内側の配設スペースＳＰ１に収容管４２（一階立て管部４５）が上下に延びる向きで収容されている。一階立て管部４５は、配設スペース形成部５６の内側面にもたれかけた状態で収容されており、それによって配設スペースＳＰ１において自立している。また、図示は省略するが、二階空間部３３においても、これと同様に、収容管４２の二階立て管部４３が配設スペースＳＰ２において自立した状態で配設されている。
【００４７】
続いて、階間空間３８における収容管４２の支持構造について図３に基づいて説明する。図３は、（ａ）が下階ユニット２０ａ上における収容管４２の支持構造を示す平面図であり、（ｂ）が同支持構造を示す縦断面図である。なお、図３（ｂ）中の符号５４は天井面材２７を支持する天井支持部材としての野縁である。
【００４８】
図３（ａ）及び（ｂ）に示すように、階間空間３８では、収容管４２の階間横引き管部４４が下階ユニット２０ａにおける複数の天井小梁２５上に跨がって設けられている。図３に示す例では、階間横引き管部４４が平面視において天井小梁２５と斜めに交差する向きで配設されている。
【００４９】
下階ユニット２０ａの天井小梁２５上には、階間横引き管部４４を支持する複数（本実施形態では３つ）の支持部材６０が設けられている。それら各支持部材６０は、階間横引き管部４４の下方に位置する各天井小梁２５上にそれぞれ設けられ、それら各天井小梁２５において階間横引き管部４４と交差する交差部に配置されている。
【００５０】
支持部材６０は、天井小梁２５に取り付けられた取付部６１と、その取付部６１から上方に延びる軸部６２と、その軸部６２の上端部に設けられ階間横引き管部４４を挿通可能な挿通部６３とを有する。取付部６１は、断面コ字状の鋼板よりなり、天井小梁２５の上面に載置されたウェブ６１ｃと、そのウェブ６１ｃの両端部からそれぞれ下方に延びて天井小梁２５を挟んで互いに対向する一対のフランジ部６１ａ，６１ｂとを有する。
【００５１】
各フランジ部６１ａ，６１ｂのうち、天井小梁２５のウェブ２５ａと対向するフランジ部６１ａには、取付部６１を天井小梁２５に固定するための固定具６６が設けられている。固定具６６は、フランジ部６１ａに形成されためねじ孔（図示略）に挿通された蝶ボルト６６ａと、蝶ボルト６６ａの先端に設けられ天井小梁２５のウェブ２５ａの外側面と対向する押し付け部６６ｂとを有する。押し付け部６６ｂは、例えば円板状に形成されたゴム材よりなり、蝶ボルト６６ａが締め込まれることによりウェブ２５ａの外側面に押し付けられている。これにより、取付部６１が天井小梁２５に対して取り付けられている。
【００５２】
但し、天井小梁２５に対する取付部６１の取付構成は必ずしもかかる構成に限定されることなく、例えば取付部６１を天井小梁２５にボルトやビス等の締結具を用いて取り付けるようにしてもよい。
【００５３】
軸部６２は、上下方向に延びる円管状に形成されている。軸部６２は、その上下長さが各支持部材６０ごとに相違しており、具体的には、その上下長さが各支持部材６０のうち階間横引き管部４４における一端部側（二階立て管部４３側）に配置されたものから他端部側（一階立て管部４５側）に配置されたものに向かって短くなっている。これにより、支持部材６０における取付部６１（換言すると天井小梁２５）に対する挿通部６３の高さ位置は、各支持部材６０のうち階間横引き管部４４における一端部側に配置されたものから他端部側に配置されたものに向かって低くなっている。
【００５４】
挿通部６３は、環状（円環状）に形成されており、その内径が階間横引き管部４４の外径とほぼ同じ大きさに設定されている。各支持部材６０の挿通部６３にはそれぞれ階間横引き管部４４が挿通されている。これにより、階間横引き管部４４は、かかる挿通状態で各支持部材６０に支持されている。また、上述したように、取付部６１に対する挿通部６３の高さ位置が各支持部材６０のうち階間横引き管部４４における一端部側（一階立て管部４５側）に配置されたものから他端部側（二階立て管部４３側）に配置されたものに向かって低くなっているため、それら挿通部６３に挿通されている階間横引き管部４４は一端部側から他端部側に向けて若干下方傾斜した状態で配設されている。
【００５５】
挿通部６３は、図４に示すように、軸部６２に対して当該軸部６２を中心に回動可能に取り付けられている。なお、図４では、挿通部６３に階間横引き管部４４が挿通されていない状態を示している。挿通部６３には、当該挿通部６３から下方に延びるヒンジピン６８が固定されている。ヒンジピン６８は、軸部６２の内側に上方から挿通されており、その挿通状態において軸部６２に対し回転可能とされている。これによって、挿通部６３が軸部６２に対して回動可能とされている。
【００５６】
次に、建物１０に、上述した結露水の排水構造を構築した場合におけるドレン管４１（及び収容管４２）の配設経路について実際の建物１０の間取りとの関係で説明する。なお、図７において、（ａ）が建物１０の二階部分１５の間取りを示す間取り図であり、（ｂ）が一階部分１４の間取りを示す間取り図である。
【００５７】
図７（ａ）に示すように、建物１０の二階部分１５には、屋内スペースとして、居室７１やトイレ７２等が設けられている。トイレ７２には、その内壁面に長尺状のパイプカバー７４が上下方向に延びる向きで取り付けられている。この場合、パイプカバー７４とトイレ７２の内壁とにより囲まれた内側に配設スペースＳＰ２が形成され、これらパイプカバー７４とトイレ７２の内壁とによって配設スペース形成部５６が構成されている。そして、配設スペースＳＰ２に収容管４２（詳しくは二階立て管部４３）が収容されている。
【００５８】
一方、図７（ｂ）に示すように、建物１０の一階部分１４には、屋内スペースとして、和室７７やトイレ７８等が設けられているとともに、物品を収納するための収納室７９が設けられている。収納室７９は、二階部分１５に通じる階段８０の下方に設けられた階段下収納となっている。収納室７９は和室７７と隣接しており、和室７７側から開閉可能な開閉扉８１が設けられている。収納室７９における開閉扉８１による開閉部分近くは二階部分１５のトイレ７２に設けられたパイプカバー７４（配設スペース形成部５６）の真下位置に位置している。したがって、ドレン管４１を二階部分１５から一階部分１４へ鉛直下向きに延ばすことは、間取り上困難となっている。
【００５９】
そこで、一階部分１４では、収納室７９の横隣りに配設スペースＳＰ１が設けられている。この場合、配設スペースＳＰ１は、平面視において配設スペースＳＰ２と異なる位置に配置されており、両スペースＳＰ１，ＳＰ２が平面視にて互いに離間する位置関係となっている。配設スペースＳＰ１は、四方が内壁８３により囲まれた内側空間として形成されており、これらの内壁８３によって配設スペース形成部５６が構成されている。そして、配設スペースＳＰ１に収容管４２（詳しくは一階立て管部４５）が収容されている。
【００６０】
次に、上述した結露水の排水構造を構築する際の作業手順について説明する。
【００６１】
まず、ユニット工場では、建物１０を構成する各建物ユニット２０を製造する。このユニット製造の際、下階ユニット２０ａには、一階立て管部４５とエルボ４８とを予め接続したものを組み付けるとともに、各支持部材６０をそれぞれ天井小梁２５に取り付ける。また、上階ユニット２０ｂには、その天井面材２７上に空調装置４０を設置する。
【００６２】
各建物ユニット２０を製造後、それら各建物ユニット２０をトラック等により施工現場へと搬送する。
【００６３】
施工現場では、まず下階ユニット２０ａを基礎１１上に設置する。下階ユニット２０ａの設置状態では、一階立て管部４５の下端部が床下空間３５に突出している。下階ユニット２０ａの設置後、床下空間３５へ入って、床下横引き管部４６をその一端部を基礎１１の貫通孔５５に挿し入れて配設するとともに、床下横引き管部４６の他端部を一階立て管部４５の下端部にエルボ４９を介して接続する。
【００６４】
続いて、下階ユニット２０ａの天井部において各支持部材６０の挿通部６３に階間横引き管部４４を挿通する。そして、階間横引き管部４４の一端部をエルボ４８に対して接続するとともに、階間横引き管部４４の他端部にエルボ４７を接続する。
【００６５】
次に、下階ユニット２０ａの上方に上階ユニット２０ｂを設置する。この上階ユニット２０ｂの設置の際、下階ユニット２０ａ上に設けられたエルボ４７の上端部を上階ユニット２０ｂの床面材２８の貫通孔５２に挿通させる。その後、二階空間部３３においてエルボ４７の上端部に二階立て管部４３を接続するとともに、その二階立て管部４３の上端部を天井面材２７の貫通孔５１に挿通させる。以上により、収容管４２の配設が完了する。
【００６６】
次に、上階ユニット２０ｂの天井面材２７上からドレン管４１を収容管４２内に導入する作業を行う。この際、ドレン管４１を収容管４２の上端開口を通じて収容管４２内における所定位置まで導入する。その後、ドレン管４１の上端部を空調装置４０に接続する。以上より、一連の作業が終了する。
【００６７】
以上、詳述した本実施形態の構成によれば、以下の優れた効果が得られる。
【００６８】
ドレン管４１を階間空間３８にて横引きしたため、ドレン管４１において二階部分１５（二階空間部３３）に配設される部分と、一階部分１４（一階空間部３１）に配設される部分とをそれぞれ平面視で異なる位置に配置することができる。これにより、二階部分１５及び一階部分１４におけるドレン管４１の配置に関し自由度を確保することができ、二階部分１５及び一階部分１４での間取りの制約を緩和することができる。
【００６９】
また、ドレン管４１において階間空間３８に設けられた部分（階間管部に相当）を収容管４２に収容したため、仮にドレン管４１の当該部分に破損が生じる等して当該部分から水漏れが生じたとしても、その漏れた水を外側の収容管４２で受け止めることができ、階間空間３８での水漏れを防止することができる。よって、以上より、間取りの制約を緩和しつつ、階間空間３８での水漏れを防止することができる。
【００７０】
ドレン管４１において階間空間３８に設けられた部分に加え、一階空間部３１及び二階空間部３３に設けられた各部分についても収容管４２に収容したため、一階空間部３１又は二階空間部３３で破損等が生じ水漏れが発生した場合にも、その漏れた水を収容管４２にて受け止めることができる。これにより、階間空間３８のみならず、一階空間部３１及び二階空間部３３での水漏れも防止することができる。
【００７１】
ドレン管４１を、可撓性を有するフレキシブルチューブにより形成したため、ドレン管４１を収容管４２から引き抜いてメンテナンスや点検をすることが可能となる。これにより、ドレン管４１のメンテナンス作業を容易に行うことが可能となる。
【００７２】
収容管４２を、ドレン管４１に沿って屋根裏空間３６から当該ドレン管４１の下流側端部（屋外側端部）に亘って設けたため、屋根裏空間３６かたドレン管４１を収容管４２の上端開口を通じて当該収容管４２に出し入れすることが可能となる。このため、空調装置４０が屋根裏空間３６に設置される構成にあって、ドレン管４１のメンテナンス作業を好適に行うことが可能となる。
【００７３】
下階ユニット２０ａの天井小梁２５に、階間横引き管部４４を支持する複数の支持部材６０を設けるとともに、階間横引き管部４４を所定の勾配を有した状態で支持すべく、それら各支持部材６０による階間横引き管部４４の支持高さを互いに異ならせた。そして、階間横引き管部４４の内側に、ドレン管４１（詳しくはその横引き部分）を、その上流側を勾配上側、その下流側を勾配下側として収容したため、上記横引き部分についても所定の勾配を有した状態で配設することができる。これにより、ドレン管４１を流れる水が上記横引き部分において滞留してしまうのを抑制することができ、その結果滞留に伴う上記横引き部分からの水漏れの可能性を低減させることができる。
【００７４】
挿通部６３を取付部６１に対して水平方向に回動可能に設けたため、下階ユニット２０ａ上における階間横引き管部４４の配設向きに応じて挿通部６３の向きを調整することができる。これにより、階間横引き管部４４の配設向きにかかわらず、階間横引き管部４４を挿通部６３に挿通支持させることができるため、階間横引き管部４４を支持部材６０により支持する構成にあって実用上好ましい構成といえる。
【００７５】
本発明は上記実施形態に限らず、例えば次のように実施されてもよい。
【００７６】
（１）上記実施形態では、収容管４２を、二階立て管部４３と階間横引き管部４４と一階立て管部４５と床下横引き管部４６とを有して構成したが、これら各管部４３〜４６のうち、床下横引き管部４６を不具備としてもよい。その場合にも、階間空間３８、一階空間部３１及び二階空間部３３での水漏れを防止することができる。
【００７７】
また、二階立て管部４３と一階立て管部４５とのうち、いずれか一方を不具備としてもよいし、両方を不具備としてもよい。これらの場合であっても、階間空間３８での水漏れを防止することができる。なお、両方を不具備とする場合には、収容管は、階間横引き管部４４と、その両端のエルボ４７，４８とを備えて構成される。
【００７８】
（２）例えば、上記（１）で説明したように、収容管を、二階立て管部４３と一階立て管部４５とのうちいずれか一方又は両方を不具備として構成する場合に、ドレン管４１において収容管に収容される部分だけを可撓性を有するフレキシブルチューブにより構成してもよい。すなわち、ドレン管４１において、上記収容される部分をフレキシブルチューブにより構成する一方、収容管に収容されない部分を可撓性を有しない合成樹脂管（樹脂チューブ）又は金属管（金属チューブ）により構成し、そしてそれら各チューブを互いに接続することによりドレン管４１を形成してもよい。その場合でも、ドレン管４１において収容管に収容されている部分、すなわちフレキシブルチューブについては収容管から引き抜いてメンテナンスを行うことができるため、ドレン管４１のメンテナンス作業を好適に行うことができる。
【００７９】
（３）上記の実施形態において、ドレン管４１を、可撓性を有しない合成樹脂管や金属管により構成してもよい。この場合、ドレン管４１と収容管４２とからなる二重管を予め製造しておき、その二重管を施工現場にて建物１０に配設していくことが考えられる。ただ、ドレン管４１のメンテナンス作業性を考慮すると、ドレン管４１はフレキシブルチューブにより構成することが望ましい。
【００８０】
（４）上記実施形態では、空調装置４０が屋根裏空間３６に設置されている場合を例に本発明の排水構造を説明したが、空調装置４０が例えば二階空間部３３に設置されている場合にも本発明を適用することができる。要するに、空調装置４０のドレン管４１が二階空間部３３から一階空間部３１へと階間空間３８を通じて延びている構成であれば、本発明を適用することが可能である。
【００８１】
また、上記実施形態では、空調装置４０（排水源）の結露水を排出する排水構造に本発明を適用したが、二階空間部３３に設けられたトイレや浴槽から出る水等、その他の水を排出する排出構造に本発明を適用してもよい。
【００８２】
（５）上記実施形態では、二階建ての建物１０への適用例を説明したが、三階建て以上の建物に本発明を適用してもよい。例えば三階建ての建物において、二階部分と三階部分との間に本発明を適用してもよい。
【００８３】
また、上記実施形態では、ユニット式建物への適用例を説明したが、鉄骨軸組工法により構築される建物や、在来木造工法により構築される建物等、他の構造の建物に本発明を適用してもよい。
【符号の説明】
【００８４】
１０…建物、１４…下階部としての一階部分、１５…上階部としての二階部分、２０…建物ユニット、２０ａ…下階ユニット、２０ｂ…上階ユニット、２５…天井小梁、２７…天井面材、２８…床面材、３６…屋根裏空間、３８…階間空間、４０…冷房装置としての空調装置、４１…排水管としてのドレン管、４２…収容管、４４…横引き管部としての階間横引き管部、６０…支持部材、６１…取付部、６３…挿通部、ＳＰ１…下階配設スペースとしての配設スペース、ＳＰ２…上階配設スペースとしての配設スペース。
【図１】
2014237927.tif 000003
【図２】
2014237927.tif 000004
【図３】
2014237927.tif 000005
【図４】
2014237927.tif 000006
【図５】
2014237927.tif 000007
【図６】
2014237927.tif 000008
【図７】
2014237927.tif 000009